(57)【要約】  【課題】  スリンガリングでかき揚げたドレン水を室外側熱交換器にスプラッシュした際、水滴がプロペラファンに衝突しないようにして騒音の発生を防止できるようにした一体型空気調和機を提供する。  【解決手段】  導風板と室外側熱交換器との間のドレン水がかき揚げられる側であって、プロペラファン７の上方となる前記導風板の側面と筐体１の天井面1aとのコーナ部に、スリンガリング12でかき揚げられたドレン水を、同スリンガリング12の円周方向に導く円弧状または楕円弧状に形成された導水板13が設けられてなる構成となっている。        【選択図】  図２
2005090768.tif 000002
【特許請求の範囲】
【請求項１】
筐体内のベース上を仕切板により室内側と室外側とに区画し、室内側に室内側熱交換器と遠心ファンとを設け、室外側に室外側熱交換器とこれに対向したプロペラファンと、ファンモータと、これら室外側熱交換器およびプロペラファンを囲むベルマウスを備えた導風板とを設け、前記ベース上にドレン水を受ける水受け部を設けると共に、前記プロペラファンに前記水受け部に溜まったドレン水をかき揚げて前記室外側熱交換器に散水するスリンガリングが付設されてなる一体型空気調和機において、
前記導風板と前記室外側熱交換器との間のドレン水がかき揚げられる側であって、前記プロペラファンの上方となる前記導風板の側面と前記筐体の天井面とのコーナ部に、前記スリンガリングでかき揚げられたドレン水を、同スリンガリングの円周方向に導く導水板が設けられてなることを特徴とする一体型空気調和機。
【請求項２】
前記導水板の内周面に、散水されるドレン水の流れを前記筐体の天井面に向けないように変化させるガイドが設けられてなることを特徴とする請求項１に記載の一体型空気調和機。
【請求項３】
前記ガイドが、前記プロペラファンの回転軸に対し傾斜角を有して形成されてなることを特徴とする請求項１または請求項２に記載の一体型空気調和機。
【請求項４】
前記導水板の内周面先端に、内側に突出する突出片が突設されてなることを特徴とする請求項１に記載の一体型空気調和機。
【発明の詳細な説明】
【技術分野】
【０００１】
本発明は、一体型空気調和機に係わり、より詳細には、スリンガリングでかき揚げたドレン水を室外側熱交換器にスプラッシュした際、水滴がプロペラファンに衝突しないようにして騒音の発生を防止できるようにした構造に関する。
【背景技術】
【０００２】
従来の一体型空気調和機には、スプラッシュ時に水滴がプロペラファン上に落下することを防止できるようにするため、プロペラファンとスリンガリングが一体に形成され、プロペラファンの回転によりベルマウスの外側に配設されたスリンガリングによりドレン水は上方に掻き揚げられベルマウスの上方の導風板に水滴となって溜まり、やがて大きな水滴となって落下するが、ベルマウスがプロペラファンの「覆い」となるように形成されているので、従来のように水滴がプロペラファン上に落ちることは稀となり、殆どの水滴は前記ベルマウスの上に落下するように構成されてなるものが開示されていた（例えば、特許文献１参照。）。
【０００３】
上記構成により、前記スリンガリングによって掻き揚げられたドレン水を室外側熱交換器に散水した際、水滴がプロペラファンに衝突しないようにして、騒音が生じてしまうという問題点を解決できるようになっていた。
【０００４】
しかしながら、上記構成でなる一体型空気調和機においては、筐体の天井（上面）に撥水処理を施したり、筐体の天井（上面）とベルマウス間に覆い（導風板）のようなものを設けたりすることで、水滴がプロペラファン上に滴下しないように構成されていることから、コスト的に割高になってしまうことになるため、実際には実現化が困難な状況になっていた。
【特許文献１】特開２００２−２９５８６４号公報（第１頁〜第４頁、第１図〜第２図）
【発明の開示】
【発明が解決しようとする課題】
【０００５】
本発明は上記の問題点に鑑み、スリンガリングでかき揚げたドレン水を室外側熱交換器にスプラッシュした際、水滴がプロペラファンに衝突しないようにして騒音の発生を防止できるようにした一体型空気調和機を提供することを目的とする。
【課題を解決するための手段】
【０００６】
本発明は、上記課題を解決するため、筐体内のベース上を仕切板により室内側と室外側とに区画し、室内側に室内側熱交換器と遠心ファンとを設け、室外側に室外側熱交換器とこれに対向したプロペラファンと、ファンモータと、これら室外側熱交換器およびプロペラファンを囲むベルマウスを備えた導風板とを設け、前記ベース上にドレン水を受ける水受け部を設けると共に、前記プロペラファンに前記水受け部に溜まったドレン水をかき揚げて前記室外側熱交換器に散水するスリンガリングが付設されてなる一体型空気調和機において、
前記導風板と前記室外側熱交換器との間のドレン水がかき揚げられる側であって、前記プロペラファンの上方となる前記導風板の側面と前記筐体の天井面とのコーナ部に、前記スリンガリングでかき揚げられたドレン水を、同スリンガリングの円周方向に導く導水板が設けられてなる構成となっている。
【０００７】
また、前記導水板の内周面に、散水されるドレン水の流れを前記筐体の天井面に向けないように変化させるガイドが設けられてなる構成となっている。
【０００８】
また、前記ガイドが、前記プロペラファンの回転軸に対し傾斜角を有して形成されてなる構成となっている。
【０００９】
更に、前記導水板の内周面先端に、内側に突出する突出片が突設されてなる構成となっている。
【発明の効果】
【００１０】
本発明によれば、導風板と室外側熱交換器との間に、前記スリンガリングでかき揚げられ前記室外側熱交換器に散水されるドレン水を、同スリンガリングの回転方向に沿って導く導水板が設けられているので、前記室外側熱交換器にドレン水をスプラッシュした際、水滴がプロペラファンに衝突しないようにして騒音の発生を防止できるようにした一体型空気調和機となる。
【発明を実施するための最良の形態】
【００１１】
以下、本発明の実施の形態を、添付図面に基づいた実施例として詳細に説明する。
図１は本発明による一体型空気調和機の縦断面図、図２は図１で示すＡ−Ａ断面図、図３は本発明による一体型空気調和機の要部説明図で、（Ａ）は導水板の形状の一例を示す断面図、（Ｂ）は導水板の形状の他の例を示す断面図、図４は本発明による一体型空気調和機の実施例１を示す要部説明図で、（Ａ）は正面図、（Ｂ）は側面図、図５は本発明による一体型空気調和機の実施例２を示す要部説明図で、（Ａ）は正面図、（Ｂ）は側面図、図６は実施例１および実施例２の導水板を組付けた状態を示す説明図、図７は本発明による一体型空気調和機の実施例３を示す要部説明図で、（Ａ）は正面図、（Ｂ）は側面図、図８は本発明による一体型空気調和機の実施例４を示す要部説明図で、（Ａ）は正面図、（Ｂ）は側面図、図９は実施例３および実施例４の導水板を組付けた状態を示す説明図、図１０は本発明による一体型空気調和機の実施例５を示す要部説明図で、（Ａ）は正面図、（Ｂ）は側面図、図１１は本発明による一体型空気調和機の実施例６を示す要部説明図で、（Ａ）は正面図、（Ｂ）は側面図、図１２は本発明による一体型空気調和機の実施例７を示す要部説明図で、（Ａ）は正面図、（Ｂ）は側面図、図１３は本発明による一体型空気調和機の実施例８を示す要部説明図で、（Ａ）は正面図、（Ｂ）は側面図、図１４は本発明による一体型空気調和機の実施例９を示す要部説明図で、（Ａ）は平面図、（Ｂ）は側面図である。
【００１２】
本発明による一体型空気調和機は、図１および図２で示すように、前後部が開放された筐体１内に出し入れされるベース２上が、同ベース２上に立設した仕切板３により室内側と室外側とに区画されている。
【００１３】
前記室内側には、室内側熱交換器４とこれに対向した遠心ファン５とが設けられ、室外側には、室外側熱交換器６とこれに対向したプロペラファン７と、同プロペラファン７と前記遠心ファン５とを駆動するファンモータ８と、これら室外側熱交換器６およびプロペラファン７を囲む円筒状のベルマウス９を備えた導風板10とが設けられている。
【００１４】
前記ベース２上には、ドレン水を受ける水受け部11が設けられると共に、前記プロペラファン７には、同プロペラファン７が図２の矢印Ａで示すように回転することにより、前記水受け部11に溜まったドレン水をかき揚げて、前記室外側熱交換器６に散水するためのスリンガリング12が付設されている。
【００１５】
これにより、前記室外側熱交換器６が、前記スリンガリング12によってかき揚げられ、前記プロペラファン７の送風によって飛散するドレン水で冷却されることになり、熱交換効率を向上できるようになっている。
【００１６】
前記導風板10と前記室外側熱交換器７との間のドレン水がかき揚げられる側であって、前記プロペラファン７の上方となる前記導風板10の側面と前記筐体１の天井面1aとのコーナ部には、前記スリンガリング12でかき揚げられ、前記プロペラファン７の送風によって飛散するドレン水が、同プロペラファン７および前記スリンガリング12の回転方向に沿って導かれるようにするための導水板13が設けられた構成になっている。
【００１７】
前記導水板13が設けられたことにより、前記プロペラファン７の送風によって飛散するドレン水の一部の流れを変化させることで、前記筐体１の天井面1aからの大きい水滴として滴下させないようにして、前記プロペラファン７との衝突をなくすることで異常騒音を生じさせることがない構造となる。
【００１８】
前記導水板13の形状としては、例えば一例として図３（Ａ）で示すように断面円弧状に湾曲形成するか、もしくは、他の例として図３（Ｂ）で示すように断面楕円弧状に湾曲形成してもよい。
【００１９】
また、前記導水板13は、合成樹脂製もしくは板金製によって形成され、前記プロペラファン７の上方となる前記導風板10の側面と前記筐体１の天井面1aとのコーナ部に、例えばねじ締めされるなどによって固着されることにより、飛散する前記ドレン水の一部の流れを前記プロペラファン７および前記スリンガリング12の円周方向に向け円滑に、且つ効果的に変化させるようにしている。
【実施例１】
【００２０】
次に、前記導水板13に関し、実施例１として示す図４（Ａ）および図４（Ｂ）と、図６とに基づいて詳細な説明をする。
前記導水板13の内周面に、前記スリンガリング12によってかき揚げられ、前記プロペラファン７の送風によって飛散する前記ドレン水の一部の流れを変化させて、前記筐体１の天井面1aに向けないようにするための図４（Ａ）および図４（Ｂ）で示すようなガイド14が設けられている。前記ガイド14は、前記プロペラファン７の回転軸7aに対し図６で示すように傾斜角Ｂを有して延びる凸条15からなる構成になっている。
【００２１】
前記凸条15は、例えば互いに平行に複数設けられることによって、図６の破線による矢印ａで示すように、飛散する前記ドレン水の一部の流れを効果的に変化させることができるようになっており、前記ベルマウス９に沿わせることによって水滴として前記プロペラファン７に衝突させないようにして、前記ベース２上に滴下させることができるようになっている。
【実施例２】
【００２２】
また同様に、実施例２として図５（Ａ）および図５（Ｂ）と、図６とで示すように、前記ガイド14が、前記プロペラファン７の回転軸7aに対し傾斜角Ｂを有して延びる複数の凹溝16からなる構成にしてもよい。
【００２３】
これにより、実施例１の場合と同様に、互いに平行な前記凹溝16により飛散する前記ドレン水の一部の流れを効果的に変化させて、前記プロペラファン７に衝突させることなく前記ベース２上に滴下させることができる。
【実施例３】
【００２４】
また、前記ガイド14が、実施例３として図７（Ａ）および図７（Ｂ）と、図９とで示すように、前記プロペラファン７の回転軸7aに対し傾斜角Ｃを有して延びる凸条15からなる構成にしてもよい。
【００２５】
前記凸条15は、例えば互いに平行に複数設けられることによって、図９の破線による矢印ｂで示すように、飛散する前記ドレン水の一部の流れを前記室外側熱交換器６に向けて効果的に変化させることができるようになっている。
【実施例４】
【００２６】
また同様に、実施例４として図８（Ａ）および図８（Ｂ）と、図９とで示すように、前記ガイド14が、前記プロペラファン７の回転軸7aに対し傾斜角Ｃを有して延びる複数の凹溝16からなる構成にしてもよい。
【００２７】
これにより、実施例３の場合と同様に、互いに平行な前記凹溝16により飛散する前記ドレン水の一部の流れを効果的に変化させて、前記プロペラファン７に衝突させることなく前記室外側熱交換器６に向けて飛散させることができる。
【実施例５】
【００２８】
また、前記導水板13は、実施例５として図１０（Ａ）および図１０（Ｂ）で示すように、前記ドレン水の一部を導いたのち飛散させるための内周面先端に、内側に突出する断面三角形状の突出片17が突設された構成にしてもよい。
【００２９】
前記突出片17が突設されたことによって、飛散するドレン水の一部を前記筐体１の天井面1aに向かわせないように変化させ、同天井面1aで大きい水滴を生じさせないようになるので、水滴が前記プロペラファン７上に落下し衝突して異常騒音を生じさせるということがなくなる。
【実施例６】
【００３０】
前記突出片17は、実施例６として図１１（Ａ）および図１１（Ｂ）で示すように、断面半円形状に形成されるようにしてもよく、実施例５の場合と同様に。飛散するドレン水の一部を前記筐体１の天井面1aに向かわせないよう効果的に変化させることができる。
【実施例７】
【００３１】
また、前記突出片17は、前記導水板13の全幅にわたって連続的に形成されるようにしてもよいし、実施例７として図１２（Ａ）および図１２（Ｂ）で示すように、切欠部17a を介在させて断続的に形成されるようにしてもよく、この場合、前記切欠部17a を介在させたことによって飛散するドレン水の一部を噴霧状態にできるので、前記プロペラファン７により前記室外側熱交換器６に向けて効果的に飛散させることができるようになる。
【実施例８】
【００３２】
または、前記導水板13の先端部13a が、実施例８として図１３（Ａ）および図１３（Ｂ）で示すように、内側に折曲または湾曲形成されることによって前記突出片17が形成されるようにした構成にしてもよく、これによって、飛散するドレン水の一部を前記筐体１の天井面1aに向かわせることなく噴霧状態にできるようになるので、これによって、前記プロペラファン７により前記室外側熱交換器６に向けて効果的に飛散させることができるようになり、また、同プロペラファン７に当っても騒音を発することにはならない。
【実施例９】
【００３３】
また、実施例９として図１４（Ａ）および図１４（Ｂ）で示すように、前記筐体１の天井面1aに、一端を前記導水板13に近接させ、他端を前記プロペラファン７の外径方向に延ばした垂下片18が垂下されるようにしてもよく、これによって、前記導水板13によって矢印ｃで示すように導かれたドレン水の一部が、前記プロペラファン７の負圧で吸い寄せられることにより発生していた水滴群をなくすことができるようになるので、同プロペラファン７への水滴の衝突による騒音が生じなくなる。
【００３４】
なお、前記垂下片18は、例えば断面三角形状または断面半円形状に形成されるようにして、該箇所における通風抵抗が大きくならないように工夫されることが望ましい。
【００３５】
以上のように、前記導風板10と前記室外側熱交換器６との間に、前記スリンガリング12でかき揚げられ前記プロペラファン７の送風によって散水されるドレン水の一部を、同スリンガリング12および同プロペラファン７の円周方向に導く導水板13が設けられてなる構成にしたので、前記スリンガリング12でかき揚げたドレン水を前記室外側熱交換器５にスプラッシュした際、水滴が前記プロペラファン７に衝突しないようにして騒音の発生を防止できるようにした一体型空気調和機となる。
【図面の簡単な説明】
【００３６】
【図１】本発明による一体型空気調和機の縦断面図である。
【図２】図１で示すＡ−Ａ断面図である。
【図３】本発明による一体型空気調和機の要部説明図で、（Ａ）は導水板の形状の一例を示す断面図であり、（Ｂ）は導水板の形状の他の例を示す断面図である。
【図４】本発明による一体型空気調和機の実施例１を示す要部説明図で、（Ａ）は正面図であり、（Ｂ）は側面図である。
【図５】本発明による一体型空気調和機の実施例２を示す要部説明図で、（Ａ）は正面図であり、（Ｂ）は側面図である。
【図６】本発明による一体型空気調和機の実施例１および実施例２の導水板を組付けた状態を示す説明図である。
【図７】本発明による一体型空気調和機の実施例３を示す要部説明図で、（Ａ）は正面図であり、（Ｂ）は側面図である。
【図８】本発明による一体型空気調和機の実施例４を示す要部説明図で、（Ａ）は正面図であり、（Ｂ）は側面図である。
【図９】本発明による一体型空気調和機の実施例３および実施例４の導水板を組付けた状態を示す説明図である。
【図１０】本発明による一体型空気調和機の実施例５を示す要部説明図で、（Ａ）は正面図であり、（Ｂ）は側面図である。
【図１１】本発明による一体型空気調和機の実施例６を示す要部説明図で、（Ａ）は正面図であり、（Ｂ）は側面図である。
【図１２】本発明による一体型空気調和機の実施例７を示す要部説明図で、（Ａ）は正面図であり、（Ｂ）は側面図である。
【図１３】本発明による一体型空気調和機の実施例８を示す要部説明図で、（Ａ）は正面図であり、（Ｂ）は側面図である。
【図１４】本発明による一体型空気調和機の実施例９を示す要部説明図で、（Ａ）は平面図であり、（Ｂ）は側面図である。
【符号の説明】
【００３７】
１  筐体
1a  筐体の天井面
２  ベース
３  仕切板
４  室内側熱交換器
５  遠心ファン
６  室外側熱交換器
７  プロペラファン
7a  回転軸
８  ファンモータ
９  ベルマウス
10  導風板
11  水受け部
12  スリンガリング
13  導水板
13a 先端部
14  ガイド
15  凸条
16  凹溝
17  突出片
17a 切欠部
18  垂下片
【図１】
2005090768.tif 000003
【図２】
2005090768.tif 000004
【図３】
2005090768.tif 000005
【図４】
2005090768.tif 000006
【図５】
2005090768.tif 000007
【図６】
2005090768.tif 000008
【図７】
2005090768.tif 000009
【図８】
2005090768.tif 000010
【図９】
2005090768.tif 000011
【図１０】
2005090768.tif 000012
【図１１】
2005090768.tif 000013
【図１２】
2005090768.tif 000014
【図１３】
2005090768.tif 000015
【図１４】
2005090768.tif 000016